(57)【要約】【課題】電波吸収体と繊維強化樹脂材からなる被覆層との一体化が強固で、しかも反射対策対部材に対する取付角度や電波吸収体同士の接合不良による電波吸収性能の低下を防止する、軽量・薄型の電波吸収用パネルを提供することにある。【解決手段】電波吸収体を複数枚面状に配置し、その電波吸収体間の隙間に電波吸収体原料の磁性粉末を混入した合成樹脂を充填し、繊維強化樹脂材で被覆しパネル状に形成した。【選択図】      図１
2004244804.tif 000002
【特許請求の範囲】
【請求項１】
電波吸収体を複数枚面状に配置し、それを電波吸収体原料の磁性粉末を混入した繊維強化樹脂材で被覆しパネル状に形成したことを特徴とする電波吸収用パネル。
【請求項２】
前記電波吸収体原料の磁性粉末を混入した合成樹脂は、少なくとも電波吸収体相互の隙間に充填されていることを特徴とする請求項１記載の電波吸収用パネル。
【請求項３】
前記電波吸収体を配置する面が曲面で、電波吸収体を曲面に沿って折れ線状に配置し、パネルの形状を円弧状としたことを特徴とする請求項１又は２記載の電波吸収用パネル。
【請求項４】
前記電波吸収体を被覆する繊維強化樹脂材からなる被覆層が、電波吸収体の両側に形成されていることを特徴とする請求項１乃至３の何れか１項に記載の電波吸収用パネル。
【請求項５】
前記電波吸収体を被覆する繊維強化樹脂材からなる被覆層が、電波吸収体の片側に形成されていることを特徴とする請求項１乃至３の何れか１項に記載の電波吸収用パネル。
【請求項６】
前記請求項５記載の電波吸収用パネルにおいて、電波吸収体における小口の端面の全体又は一部が、被覆層と反対側の面に向けてテーパ面に形成されていることを特徴とする電波吸収用パネル
【請求項７】
前記パネルの外周縁部に、固定用プレートを埋設したことを特徴とする請求項１乃至６の何れか１項に記載の電波吸収用パネル。
【請求項８】
前記固定用プレートは、表裏に貫通する多数の孔が開口されており、その孔を介して電波吸収体の表裏を覆う被覆層が連結固定されていることを特徴とする請求項７記載の電波吸収用パネル。
【請求項９】
前記請求項１記載の電波吸収用パネルにおいて、電波到来方向と反対側の電波吸収体の裏側に、固定用プレートを配置すると共に被覆層で固定したことを特徴とする電波吸収用パネル。
【請求項１０】
前記請求項１又は４記載の電波吸収用パネルを、反射対策部材の外周面に取り付ける取付方法であって、前記電波吸収用パネルの外周部におけるパネル接合端部の繊維シートを外方に延長突出し、そうした電波吸収用パネル同士または該電波吸収用パネルと同様に外周部に繊維シートを延長突出した電波吸収体を内蔵しない補助パネルを、反射対策部材の周囲に周方向に連接して配置し、その相隣れるパネルの延長突出する繊維シートを重ね合わせ、その重ね合せ部に合成樹脂を塗布含浸し、硬化させて巻き付け定着することを特徴とする電波吸収用パネルの取付方法。
【請求項１１】
前記請求項１又は４記載の電波吸収用パネルを、反射対策部材の外周面に取り付ける取付方法であって、電波吸収用パネル同士又は電波吸収用パネルと電波吸収体を内蔵しない補助パネルを、その端部が直角に交差するよう配置して両パネルの内側を繊維シート及び合成樹脂で連結一体化し、両パネルにおける外側の繊維シートの端部は解放状態とし、その連結したパネルの連続した内側を反射対策部材の角部外側面に当接セットし、セット後、前記解放状態の繊維シートを折り曲げ重ね合わせ、合成樹脂を塗布含浸して硬化させ、定着することを特徴とする電波吸収用パネルの取付方法。
【請求項１２】
前記解放状態の繊維シートを折り曲げ重ね合わせる時、該部にパテを配置し、そのパテの上に前記繊維シートを折り曲げ重ね合わせ、合成樹脂を塗布含浸することを特徴とする請求項１１記載の電波吸収用パネルの取付方法。
【請求項１３】
電波吸収体を内蔵した電波吸収用パネルの幅方向の端縁に、固定用プレートを内蔵した固定補助パネルを、反射対策部材の外側面と対応する面の繊維シートを前記電波吸収パネルの同面の繊維シートと連結一体化し、両パネルにおける外側の繊維シートの端部は解放状態とし、その連結したパネルの連続した内側を反射対策部材の角部外側面に当接セットし、セット後、前記解放状態の繊維シートを折り曲げ重ね合わせ、合成樹脂を塗布含浸して硬化させ、更に固定補助パネルを反射対策部材またはそれに取り付けた下地補強部材に締結具で締着固定することを特徴とする電波吸収用パネルの取付方法。
【請求項１４】
鋼管に被覆取り付ける円弧状電波吸収パネルの製造方法であって、所定の曲率の曲面を備えた成形型の内面に、１〜複数層の繊維シートを敷設し、その繊維シートに合成樹脂を塗布含浸させ、その上に平板の電波吸収体を縦横に所定間隔をあけて敷設すると共に、該電波吸収体相互の隙間には電波吸収体原料の磁性粉末を混入した合成樹脂を埋め込み、更に前記電波吸収体の上に１〜複数層の繊維シートを敷設し、合成樹脂を含浸処理後、養生して成型品を脱型することを特徴とする電波吸収パネルの製造方法。
【発明の詳細な説明】
【０００１】
【発明の属する技術分野】
本発明は電波吸収用パネルに関し、詳しくはテレビ電波の反射障害を生じる鉄塔等に取り付けて電波を吸収する電波吸収用パネル、及びその電波吸収用パネルの取付方法、更に電波吸収用パネルの製造方法に関する。
【０００２】
【従来の技術】
高層建造物によるテレビ電波障害は、建造物によって電波が遮られて生じる「ビル影障害」と、建造物の壁面などからの反射電波により生じる「テレビゴースト障害」とに分類される。
そして、前記高層建造物としては超高層ビルの他に鉄塔等が挙げられる。
ビル影障害については、その範囲が比較的小さい為ＣＡＴＶ等によって対策がなされている。しかし、超高層ビルの場合は、反射電波によるテレビゴースト障害は、非常に広い地域にわたって発生するばかりでなく、高層ビルの林立による複雑な複合反射障害も予想される。その為、発生源である建造物自体の反射防止対策が必要とされ、高層建造物の外面を電波吸収体で構成する方法が最も有効である。
【０００３】
一般に、テレビ電波におけるＶＨＦ帯（９０ＭＨｚ〜２２２ＭＨｚ）やＵＨＦ帯（４７０ＭＨｚ〜７７０ＭＨｚ）の電波障害対策用として一般的に用いられる電波吸収体はフェライトタイルで、反射減衰量１５ｄＢ以上の優れた電波吸収性能を有する。
更に、テレビ電波の反射障害は、前記した高層ビルの壁面などからの反射電波により生じるものだけでなく、中継用アンテナ等を取り付けた鉄塔（タワー）や、送電線の鉄塔等も同様の反射障害を生じている。
【０００４】
しかしながら、上記フェライトタイルは１００ｍｍ角以上の大きなものは製造上難しい。又、セラミックの為、複雑な形状、例えば円弧形状への成形や後加工は難しく、強度的にも脆い等の欠点を有する。そのため、電波吸収性能を有するフェライトタイルの使用方法は、コンクリートの中に内蔵される形態、或いは外装材の磁器タイルの裏側に配置する形態等が一般的である。
しかし、上記した構造の電波吸収用パネルは、外側表面に配置される磁器タイル及び中間のコンクリート又はモルタル等が障害となって、フェライトタイルが有する電波吸収性能が低下する。特に、吸収帯域幅が狭くなる。又、重量が重くなるといった欠点を有する。
【０００５】
そこで、上記従来の問題点を解決するものとして、金属反射板に電波吸収体（フェライトタイル）を積層し、さらにその上にプラスチック板を積層した構造の電波吸収板が提案されている（例えば、特許文献１参照）。
【０００６】
【特許文献１】
特開２００１−９４３４２号公報
【０００７】
しかし、上記特許文献１記載の電波吸収板は、一体成形されていない為、プラスチック板と電波吸収体（フェライトタイル）を密着させる面積を限定するか、或いは両部材を接合させる為に接合部材を設定する必要がある。また、電波吸収用パネルを面として鉄塔に取り付けるので、鉄塔の風荷重が大きくなり、鉄塔の構造が過大になるきらいがあった。
そこで、本件出願人は特願２００２−１４６２０２号で、フェライト板の表裏面を繊維強化樹脂材（ＦＲＰ）で被覆一体化した電波吸収用パネルを開発し提案済みである。この発明では、鉄塔を構成する鋼管に対して、該鋼管の曲率と略同じ曲率を持った電波吸収体を使用するが、鉄塔を構成する鋼管の外径は一定でなくバラバラであり、そうした鋼管の径ごとに電波吸収体の曲率を変えることは大変な手間である。
【０００８】
又、鉄塔の外面は高層ビルの外面のように鉛直面であることは少なく、水平面に対して直角以外の角度に傾いている。即ち、電波吸収用パネルが鉛直に取り付けられ、電波到来方向に対して略直角に対面する場所では、該パネルに内蔵される電波吸収体相互に多少の隙間があっても電波吸収性能に大きな差は生じないが、電波到来方向に対して略直角以外の角度で対面する取付状態では、前記電波吸収体相互間に存在する隙間が電波吸収性能を低下させる問題がある。これは、パネル内に内蔵される電波吸収体の不連続に起因する。
【０００９】
更に、本件出願人による特願２００２−１４６２０２号の例示では、電波吸収用パネル同士の連結固定、または電波吸収用パネルを鉄塔構造物に固着された取り付け部材に固定する為に、該パネルにボルトを受けるリブ（補強部）が設けられている。しかし、このリブの存在は、鋼管にパネルを取り付けた場合、該鋼管の外径を増大することになり、鉄塔構造物の風荷重の負荷を増大させ、その結果、鉄塔メンバーを太くする要因となる。
【００１０】
【発明が解決しようとする課題】
本発明は、上記した従来の技術が有する問題点に鑑みてなされたもので、その目的とするところは、電波吸収体と繊維強化樹脂材からなる被覆層との一体化が強固で、しかも反射対策対象物に対する取付角度や電波吸収体同士の接合不良に起因する電波吸収性能の低下を防止する、軽量・薄型の電波吸収用パネルを提供することにある。
又、他の目的は鉄塔構造物の風荷重の負荷を低減できる電波吸収用パネルを提供することにある。
更に、他の目的は鉄塔の電波障害対策に好適な電波吸収用パネルを提供することにある。
【００１１】
【課題を解決するための手段】
上記目的を達成する為に本発明の電波吸収用パネルは、電波吸収体を複数枚面状に配置し、それを電波吸収体原料の磁性粉末を混入した繊維強化樹脂材で被覆しパネル状に形成したことを特徴とする（請求項１）。
即ち、平板の電波吸収体を内蔵し、且つ電波吸収体を被覆する繊維強化樹脂材には該電波吸収体原料の磁性粉末が混入されたパネルとする。そして、そのパネルは、直線平面の形状に限らず、円弧形状としてもよく、その円弧形状のパネルを複数枚周方向に連結することで円筒状となるようにする。
前記繊維強化樹脂材（ＦＲＰ）に使用する繊維としては、ガラス繊維やビニロン繊維等、非導電性の繊維で、しかも機械的強度を高めることができる繊維を使用する。
又、パネルを構成する電波吸収体としては、フェライト板が好適で、そのフェライト板の電波吸収体は、電波の磁界方向に１波長以上連続して配設し、電波の電界方向は一定の間隔をおいて並列に配置する。電波吸収体原料の磁性粉末は、パネルに内蔵する電波吸収体を構成する原料の磁性粉末が好適で、電波吸収体としてフェライト板を使用した場合はその原料の磁性粉末、例えば磁性イルメナイトを使用する。
それにより、軽量で、しかも機械的強度を備えた薄型の電波吸収用パネルを構築できる。そして、電波吸収体原料の磁性粉末が混入されていることで、パネル内に配設した電波吸収体は前記粉末を介して連続性が確立され、鉛直以外の取付状態においても吸収性能を発揮できる電波吸収用パネルを構築できる。
【００１２】
前記電波吸収体原料の磁性粉末を混入した合成樹脂は、パネルを構成する被覆層全体に混入してもよいが、少なくとも電波吸収体相互の隙間（目地）に充填してもよい（請求項２）。それにより、パネル内に内蔵される電波吸収体は電波吸収体原料の磁性粉末を混入した合成樹脂（目地）で連結され、電波吸収体の連続性が確立される。
又、前記電波吸収用パネルが円弧状である場合は、電波吸収体を配置する面を曲面とし、電波吸収体を曲面に沿って折れ線状に配置し、パネルの形状を円弧状とする（請求項３）。それにより、直線平板の電波吸収体を使用して円弧形状の電波吸収用パネルを構築できる。
【００１３】
また、電波吸収体を被覆する繊維強化樹脂材からなる被覆層は、該電波吸収体の両側に形成（請求項４）しても、或いは電波吸収体の片側にのみ形成（請求項５）してもよい。被覆層を片側のみに形成する場合は、被覆層に対する電波吸収体の剥離落下を防止する為に、該電波吸収体における小口の端面の全体又は一部を、被覆層と反対側の面に向けてテーパ面に形成する（請求項６）。これにより、前記テーパ面に被覆層の材料が回りこみ、電波吸収体の周縁を挾着し、被覆層と電波吸収体は一体化される。
【００１４】
上記した電波吸収用パネルを反射対策部材に取り付ける手段は、前記パネルの外周縁部に、固定用プレートを埋設し、そのプレートを用いてボルト・ナット等の締結具で締結固定する（請求項７）。
又、前記固定用プレートは、表裏に貫通する多数の孔を開口し、その孔を介して電波吸収体の表裏を覆う被覆層を連結固定してもよい（請求項８）。それにより、被覆層と固定用プレートの密着一体化を確立できる。
更に、前記固定用プレートはパネルの外周縁部に埋設する形態に限らず、該パネルの内部、即ち、電波到来方向と反対側の電波吸収体の裏側に、固定用プレートを配置し、被覆層で固定してもよい（請求項９）。尚、この場合、固定用プレートに挿通するボルトは、電波吸収体相互の隙間（目地）部分に位置するようにする。それにより、電波吸収用パネルの取り付けを、外周部に限らず、パネルの内部をボルト・ナットで締着して取り付けることが出来る。
【００１５】
また、上記した電波吸収用パネルは、ボルト・ナット等の締結具を使用することなく反射対策部材に取り付ける場合もあり得る。その取付方法は、前記請求項１又は４記載の電波吸収用パネルを、反射対策部材の外周面に取り付ける取付方法として、前記電波吸収用パネルの外周部におけるパネル接合端部の繊維シートを外方に延長突出し、そうした電波吸収用パネル同士または該電波吸収用パネルと同様に外周部に繊維シートを延長突出した電波吸収体を内蔵しない補助パネルを、反射対策部材の周囲に周方向に連接して配置し、その相隣れるパネルの延長突出する繊維シートを重ね合わせ、その重ね合せ部に合成樹脂を塗布含浸し、硬化させて巻き付け定着する（請求項１０）。即ち、電波吸収用パネルの外周縁部における繊維シート同士の接合接着処理により、パネル同士を環状に連結できる。尚、上記パネル同士の接合接着処理は、鉄塔用の鉄骨製造工場又は鉄塔建設現場の何れで行ってもよい。現場の場合は、現場敷地内に鉄骨部材を仮置きしてパネルの取付工事を行うか、足場がある際は、鉄塔組立後でもよい。さらに、既存の鉄塔の場合にも、取付用の足場を設置すれば、取付可能である。
【００１６】
上記の取付方法は電波吸収用パネルを周方向に連続して配置する鋼管に対して有効であるが、反射対策部材がＨ形鋼や山形鋼（Ｌ形アングル）で構成されたものにおいては、角をしっかり囲う必要がある。
そのような反射対策部材の外周面に電波吸収用パネルを締結具を使用することなく取り付ける取付方法は、パネル製造段階では、電波吸収用パネル同士又は電波吸収用パネルと電波吸収体を内蔵しない補助パネルを、その端部が直角に交差するよう配置して両パネルの内側を繊維シート及び合成樹脂で連結一体化し、両パネルにおける外側の繊維シートの端部は解放状態とし、パネル取付段階では、その連結したパネルの連続した内側を反射対策部材の角部外側面に当接セットし、セット後、前記解放状態の繊維シートを折り曲げ重ね合わせ、合成樹脂を塗布含浸して硬化させ、定着する（請求項１１）。尚、パネル相互は、直角交差の内側になる部分を事前に接合接着しておいてもよい。
更に、前記解放状態の繊維シートを折り曲げ重ね合わせる時、該部にパテを配置し、そのパテの上に前記繊維シートを折り曲げ重ね合わせ、合成樹脂を塗布含浸してもよい（請求項１２）。この場合、該パテを樹脂で成形し、電波吸収体の粉末を混入してもよい。
【００１７】
また、電波吸収体を内蔵した電波吸収用パネルのみをＨ形鋼で構成された反射対策部材に取り付ける方法は、電波吸収用パネルの幅方向の端縁に、固定用プレートを内蔵した固定補助パネルを、反射対策部材の外側面と対応する面の繊維シートを前記電波吸収用パネルの同面の繊維シートと連結一体化し、両パネルにおける外側の繊維シートの端部は解放状態とし、その連結したパネルの連続した内側を反射対策部材の角部外側面に当接セットし、セット後、前記解放状態の繊維シートを折り曲げ重ね合わせ、合成樹脂を塗布含浸して硬化させ、更に固定補助パネルを反射対策部材またはそれに取り付けた下地補強部材にボルト・ナット等の締結具で締着固定する（請求項１３）。この場合、電波吸収用パネルと固定補助パネルとの交差部に樹脂製パテを配置してもよく、その場合は該パテに電波吸収体の粉末を混入してもよい。
また、電波吸収体を内蔵した電波吸収用パネルのみを、山形鋼（Ｌ形アングル）で構成された反射対策部材に取り付ける方法は、反射対策部材における電波到来方向と対向する面に電波吸収用パネルを接合配置し、電波到来方向と反対側の面に＝電波吸収体を内蔵しない補強パネルを接合配置し、その両パネルの被覆層を構成する繊維シートの端部同士を重ね合わせ、同部に合成樹脂を塗布含浸して硬化させ、両パネルを連結一体化して定着する。
【００１８】
更に、前記した円弧形状をした電波吸収用パネルの製造方法は、所定の曲率の曲面を備えた成形型の内面に、１〜複数層の繊維シートを敷設し、その繊維シートに合成樹脂を塗布含浸させ、その上に平板の電波吸収体を縦横に所定間隔をあけて敷設すると共に、該電波吸収体相互の隙間には電波吸収体の粉末を混入した合成樹脂を埋め込み、更に前記電波吸収体の上に１〜複数層の繊維シートを敷設し、合成樹脂を含浸処理後、養生して成型品を脱型することを特徴とする（請求項１４）。この方法により、直線平板の電波吸収体を用いてながら、円弧形状に沿って電波吸収体が収容配置された電波吸収用パネルを効率良く製造することができる。
【００１９】
【発明の実施の形態】
以下、本発明の実施の形態の一例を図面に基いて説明する。
図１は、鋼管Ｂに取り付ける円弧形状の電波吸収用パネルＡを示し、図中、１は矩形平板（タイル形状）の電波吸収体、２，２’は前記電波吸収体１の両側を被覆する繊維強化樹脂材からなる被覆層、３は電波吸収体１相互の隙間（目地）ａに充填した樹脂材、４はその樹脂材３に混入した電波吸収体原料の磁性粉末で、複数枚の電波吸収体１を所定の曲率の円弧面に沿って折れ線状に並べて面状に配置し、その両側を被覆層２，２’で一体的に被覆すと共に、電波吸収体１相互間の隙間ａに電波吸収体原料の磁性粉末４を混入した樹脂材３を充填し、所定の大きさの矩形パネル状に形成されている。
そして、上記パネルＡにおける周方向（幅方向）の両側部には、金属平板で形成された固定用プレート５，５’が前記被覆層２，２’で被覆されて、一体的に埋設されている。
【００２０】
電波吸収体１は、矩形平板状のフェライト板（例えば、横：８０ｍｍ、縦：１６０ｍｍ、厚さ：５ｍｍ）で、これを電波の磁界方向に対象電波の周波数の１波長以上連続するよう、電波吸収体１の小口を突合せて配置する。又、電波の電界方向は一定の間隔をおいて並列に配置する。
前記磁界方向の連続は、例えば対象電波が３００ＭＨｚの場合、１波長＝１ｍである為、電波吸収体１の連続長さは１ｍ以上となるように配置する。
【００２１】
上記電波吸収体１を被覆する被覆層２，２’は、非導電性の繊維、例えばガラス繊維シートにエポキシ樹脂やポリエステル樹脂を含浸させて成形した繊維強化樹脂材で、手積み法（ハンドレーアップ）或いはマッチドダイ成形法等によって前記電波吸収体１を内蔵したパネルＡに形成される。
そして、電波吸収体１を被覆する被覆層２，２’の厚さは、繊維シートの積層混入により機械的強度が増大される為、薄く（例えば、２．５ｍｍ）することができ、それによりパネル全体の重量を軽量化することができる。例えば、単位面積重量３２Ｋｇ／ｍ２程度（３００ｍｍ×１５００ｍｍパネル１枚は１５ｋｇ程度）となる。
【００２２】
電波吸収体１相互の隙間（目地）ａに充填する樹脂材３は、前記被覆層２，２’の繊維シート２ａに含浸する合成樹脂と同じ合成樹脂を使用し、それに混入する電波吸収体原料の磁性粉末４はパネルに内蔵する電波吸収体１を構成する原料の磁性粉末を使用し、例えば電波吸収体１がフェライト板である場合は磁性イルメナイトを使用する。その粉末の混入量は、粉末を混入した樹脂材３によって間隔をおいた電波吸収体１相互の連続性が確立される量とする。例えば、５０〜９０重量％の範囲で混入する。尚、電波吸収体原料の磁性粉末の混入量が５０重量％未満では電波吸収体の連続性の効果が期待できず、９１重量％以上では電波吸収体相互の隙間を埋める目地の形態を維持できない。
【００２３】
電波吸収用パネルＡの側部に埋設配置する固定用プレート５，５’は、図２に示すように、金属製の平板に、ボルトを挿通する通孔６と、被覆層２，２’の形成時に両側の被覆層を連結する樹脂材が流入する小孔７が開設されている。
前記固定用プレート５，５’による固定は、該プレート５，５’の通孔６にパネルＡ外側よりパネルＡ及び鋼管Ｂを貫通してボルト８を挿入し、鋼管Ｂの内側に突出した軸杆に止め輪９を嵌着して電波吸収用パネルＡを定着する。
【００２４】
上記した電波吸収用パネルＡは電波吸収体１を被覆する被覆層が両側に形成されたものであるが、この被覆層は片側だけに形成してもよい。即ち、図３（ａ）に示すように、電波到来方向と対向する側（表側）にのみ被覆層２を形成、或いは図３（ｂ）に示すように電波到来方向と反対側（裏側）にのみ被覆層２’を形成してもよい。但し、この場合は電波吸収体１が被覆層２または２’から剥離落下する虞れもある為、電波吸収体１の外周縁を、被覆層と反対側に向けてテーパ面１０に加工し、そのテーパ面１０相互間に樹脂材３を充填接着することで電波吸収体１の脱落を防止できる。尚、樹脂材３には前記したと同様、電波吸収体１の原料の磁性粉末を混入し、電波吸収体１の連続性を確保する。
【００２５】
又、前記した固定用プレート５，５’は電波吸収用パネルの側部に埋設する形態に限らず、パネルＡの内部（面板中央）に配置埋設してもよい。
即ち、図４（ａ）、（ｂ）に示すように、電波到来方向と反対側における電波吸収体１の裏側に固定用プレート５を配置し、その固定用プレート５を一緒に被覆層２’で一体的に被覆固定する。尚、この固定用プレート５を埋め込む位置は、該プレートにおけるボルトを挿通する位置が電波吸収体を貫通しない位置、即ち電波吸収体１相互の隙間（目地）ａとなる位置に配置する。それにより、固定用プレート５にボルトを挿通しても該ボルトは電波吸収体を貫通することは無く、従って電波吸収体１の破損を防止できる。
上記構成においては、固定用プレート５を取り付けた側が固定用プレートの厚み分だけ突出する為、反射対策部材の山形鋼材Ｂ’に対して電波吸収用パネルＡを取り付けた時、端部に隙間が発生しないように電波吸収用パネルＡにスペーサ１１（図４（ａ）参照）、或いはカバー材１２（図４（ｂ）参照）を取り付ける。
【００２６】
電波吸収用パネルＡは、上記のボルト・ナット等の締結具を使用した取付方法に限らず、ボルトを用いないで取り付けることが出来る。以下、その取付方法について説明する。
図５は、鋼管Ｂの外側に電波吸収用パネルＡを、電波到来方向に対向させて巻回した状態で、電波到来方向と反対側には電波吸収体を内蔵しない補助パネルＣを配置し、電波吸収用パネルＡと補助パネルＣの側部を、それぞれの被覆層２，２’、１３，１３’を構成する繊維シート２ａ，２ａ’、１３ａ，１３ａ’同士を重ね合わせ、樹脂で接合一体化して両パネルＡ，Ｃを連結一体化する。
上記の接合手順を図６に基づいて簡単に説明する。
図６（ａ）に示すように、電波吸収用パネルＡの外周部における接合端部と、補助パネルＣの外周部における接合端部の各繊維シート２ａ，２ａ’、１３ａ，１３ａ’を外方に延長突出させ、両パネルＡ，Ｃの下側の繊維シート２ａ’と１３ａ’を重ね合わせる。
次に、同図（ｂ）に示すように、重ね合わせた繊維シート２ａ’と１３ａ’の部分に被覆層を構成する合成樹脂と同じ合成樹脂１５を塗布する。
次に、同図（ｃ）に示すように、電波吸収用パネルＡ側の電波吸収体１の端部に直角三角形に形成した樹脂製パテ１４を、直角を挟む二辺が電波吸収体１と前記合成樹脂を塗布した繊維シート２ａ’，１３ａ’に接合するように敷設する。
最後に、同図（ｄ）に示すように、上側の繊維シート２ａと１３ａを前記樹脂製パテ１４と重ね合わせた下側の繊維シート２ａ’，１３ａ’上に重ね合わせ、その部分に合成樹脂１５’を塗布し、硬化させて完了する。
【００２７】
図７は、前記した方法と同様の方法でＨ形鋼の反射対策部材Ｂ”に電波吸収用パネルＡを巻回取り付けた状態である。図示の場合は、電波到来方向と対向する二面に電波吸収用パネルＡを配置し、他の二面には電波吸収体を内蔵しない補助パネルＤを配置し、それら相互を構成部材の繊維シートを合成樹脂で接合一体化して連結一体化したものである。図中、Ｅはパネル補強用下地で、このパネル補強用下地Ｅに電波吸収用パネルＡを締結する。
そのパネル相互の接合手順を図８乃至図１０に基づいて説明する。
【００２８】
図８は、反射対策部材Ｂ”の角部を電波吸収体でしっかり囲む接合構造の接合手順を示す説明図である。
先ず同図（ａ）に示すように、Ｈ形鋼の反射対策部材Ｂ”の側部に電波吸収用パネルＡ１を接合配置する。この時、電波吸収用パネルＡ１の接合側部の繊維シート２ａ，２ａ’は外方に延長突出させる。
次に、同図（ｂ）に示すように、下側の繊維シート２ａ’を反射対策部材Ｂ”に沿って折り曲げ接合し、その繊維シート２ａ’の部分に合成樹脂１６を塗布し接着する。
次に、同図（ｃ）に示すように、もう１枚の電波吸収用パネルＡ２を、前記電波吸収用パネルＡ１の取付面と直角に交差する面に、電波吸収体１同士を直角に突合せて接合配置する。
そして、同図（ｄ）に示すように電波吸収用パネルＡ２の被覆層２，２’を構成する繊維シート２ａ，２ａ’の解放端部を、電波吸収用パネルＡ１の繊維シート２ａ、２ａ’を重ね合わせ、同部に合成樹脂１６を塗布して接合連結を完了する。
又、同図（ｅ）は、角部を面取り加工した構造を示し、電波吸収用パネルＡ１の端部に内蔵された電波吸収体１の端部を所定の角度に面取り１７する。
【００２９】
図９は、反射対策部材Ｂ”の角部を電波吸収体でしっかり囲む接合構造の接合手順を示す他の方法の説明図である。
先ず、同図（ａ）は、反射対策部材Ｂ”の角部を挟む二面に取り付ける２枚の電波吸収用パネルＡ１，Ａ２を、パネル製造段階で、内蔵された電波吸収体１同士を直角に突合せて内側の繊維シート２ａ’はその突合せ部を連続させ、その部分に合成樹脂を塗布して一体的に連結する。
同図（ｂ）は、直角に突合せた部分で二つ折りにして、鉄骨工場や鉄塔建設現場への運搬時に好都合な形態にしたものである。
そして、パネル取付段階では、同図（ｃ）に示すように、反射対策部材Ｂ”の角部を挟む二面に、直角に展開した電波吸収用パネルＡ１，Ａ２を接合する。
次に、同図（ｄ）に示すように、直角に取り付けた電波吸収用パネルＡ１，Ａ２の上側の繊維シート２ａ，２ａを電波吸収体１の表面に沿って折り曲げ重ね合わせ、その部分に合成樹脂１８を塗布して接合連結を完了する。
【００３０】
図１０は、反射対策部材Ｂ”の角部を電波吸収体で囲まなくてもよい接合構造の接合手順を示す説明図である。
先ず、同図（ａ）は、パネル製造段階で、２枚の電波吸収用パネルＡ１，Ａ２を、その端部に位置する電波吸収体１同士を一直線状に突合せ、直角に折り曲げた場合内側になる被覆層２’の繊維シート２ａ’をジョイント部で連続させる。
次に、パネル取付段階では、同図（ｂ）に示すように、前記パネルを直角に折り曲げ、反射対策部材Ｂ”の角部に接合取り付ける。
そして、同図（ｃ）に示すように、直角に折れた電波吸収体１相互の角部に、二等辺三角形に形成した樹脂製パテ１９を接合充填する。尚、この樹脂製パテ１９には電波吸収体原料の磁性粉末を混入しても良い。
最後に、同図（ｄ）に示すように、両パネルの表面側の被覆層２，２を構成する繊維シート２ａ，２ａを前記樹脂製パネル１９に沿って折り曲げ重ね合わせ、同部に合成樹脂２０を塗布して接合連結を完了する。
【００３１】
図１１は、山形鋼の反射対策部材Ｂ”に対して電波吸収用パネルを取り付ける場合を示し、（ａ）は山形鋼の外側二面に電波吸収用パネルＡを接合配置し、山形鋼の内側二面には電波吸収体を内蔵しない補助パネルＤを接合配置し、電波吸収用パネルＡと補助パネルＤの端部同士、及び補助パネルＤ同士の接合部は前記した繊維シートを利用した接合連結手法によって連結一体化する。
同図（ｂ）は、山形鋼の内側二面に電波吸収用パネルＡを配置し、外側二面に電波吸収体を内蔵しない補助パネルＤを配置して、（ａ）と同様の手法でパネル相互を連結一体化したものである。
【００３２】
図１２は、Ｈ形鋼の反射対策部材に電波吸収用パネルＡのみを取り付ける場合の取り付け例を示す図で、電波吸収用パネルＡを２枚直角に連結し、その電波吸収用パネルの解放端部に、金属製平板からなる固定用プレート２１を繊維強化樹脂材で包皮した固定補助パネルＤ’を、夫々の内側の被覆層の繊維シートを利用して樹脂で連結する。そして、固定補助パネルＤ’を連結した電波吸収用パネルＡを電波到来方向と対向する面に接合配置し、連結した固定補助パネルＤ’はＨ形鋼自体またはＨ形鋼に取り付けた山形鋼にボルト・ナット２２で締結することで取付け完了する。
尚、パネル製造段階における電波吸収用パネルＡと固定用プレート２１を包皮した固定補助パネルＤ’の連結は、図１３に示すように、前記したパネル相互の連結と同様の手法によって連結する。
【００３３】
図１４は、図１に示した円弧形状の電波吸収用パネルＡの製造方法を示す工程説明図で、以下簡単に説明する。
（ａ）被覆する鋼管サイズと同径の円筒物を半割りして成形型部材２３を形成する。
（ｂ）前記成形型部材２３を、その内径が鋼管を被覆するパネルの外径と略同一となるように、円形くりぬきを有する基台２４に溶接等で固定して、成形型２５とする。
（ｃ）上記成形型２５の表面に、離型材塗布後に、１〜複数層の繊維シート（例えば、ガラス繊維）２ａを敷設するが、型とシートの間および各シート間において、合成樹脂を繊維シートのジョイント部を残して繊維に含浸塗布する。
（ｄ）繊維シート２ａに合成樹脂を塗布含浸し、その上に平板状の電波吸収体１を所定の間隔をおいて折れ線状に敷き詰め、且つ電波吸収体１相互の隙間ａに、電波吸収体の粉末４を混入した合成樹脂３を充填する。
（ｅ）更に、敷き詰めた電波吸収体１の上に１〜複数層の繊維シート２ａ’を、合成樹脂を繊維シートのジョイント部分を残して含浸させながら積層し、硬化後、脱型して製品、即ち電波吸収用パネルＡを得る。
【００３４】
【発明の効果】
本発明の電波吸収用パネルは請求項１、４、５記載の記載の構成により、軽量で、しかも機械的強度を備えた薄型の電波吸収用パネルを構築できる。そして、電波吸収体原料の磁性粉末が混入されていることで、パネル内に配設した電波吸収体は前記電波吸収体原料の磁性粉末を介して連続性が確立され、鉛直以外の取付状態においても吸収性能を発揮できる電波吸収用パネルを構築できる。
又、請求項２記載の構成により、パネル内に内蔵した電波吸収体は電波吸収体原料の磁性粉末を混入した合成樹脂（目地）で連結され、電波吸収体の連続性を確立できる。
更に、請求項３記載の構成により、直線平板の電波吸収体を使用して円弧形状の電波吸収用パネルを構築できる。
そして、請求項６記載の構成により、被覆層が片側にのみ形成されていても電波吸収体の脱落を確実に防止できる。
又、請求項７、８、９記載の構成により、内蔵した電波吸収体を損傷することなく反射対策部材に確実に取り付けることが出来る。
更に、請求項１０、１１、１２記載の構成により、ボルト・ナット等の締結具を用いることなく、電波吸収用パネルの構成素材を利用して反射対策部材に確実に取り付けることが出来る。
又、請求項１３記載の構成により、反射対策部材にパネルを巻回配置することなく、部分取り付けで定着することが出来る。
更に、請求項１４記載の構成により、直線平板状の電波吸収体を使用して円弧形状の電波吸収用パネルを容易にして且つ綺麗に成型することができる。
【図面の簡単な説明】
【図１】本発明に係る電波吸収用パネルの１実施例を示す横断平面図である。
【図２】同パネルに内蔵する固定用プレートの一部正面図である。
【図３】電波吸収用パネルを構成する被覆層が片側にのみ形成されたパネルの部分断面図である。
【図４】パネル内に固定用プレートを内蔵した他の形態を示す断面図である。
【図５】電波吸収用パネルを鋼管に巻回取り付けた状態を示す断面図である。
【図６】図５におけるパネルの接合連結手順を示す工程説明図である。
【図７】電波吸収用パネルをＨ形鋼に巻回取り付けた状態を示す断面図である。
【図８】図７におけるパネルの接合連結手順を示す工程説明図である。
【図９】他のパネルの接合連結手順を示す工程説明図である。
【図１０】他のパネルの接合連結手順を示す工程説明図である。
【図１１】電波吸収用パネルを山形鋼に巻回取り付けた状態を示す断面図である。
【図１２】Ｈ形鋼に対する電波吸収用パネルの他の取り付け形態を示す断面図である。
【図１３】図１２における電波吸収用パネルと固定補助パネルの接合連結を示す拡大断面図である。
【図１４】円弧形状をした電波吸収用パネルの製造工程を示す工程説明図である。
【符号の説明】
Ａ，Ａ’…電波吸収用パネル    Ｂ，Ｂ’，Ｂ”…反射対策部材
Ｃ，Ｄ…補助パネル                    Ｄ’…固定補助パネル
１…電波吸収体                ２，２’…被覆層
３…合成樹脂
４…電波吸収体原料の磁性粉末  ５，５’…固定用プレート
２ａ，２ａ’…繊維シート
【図１】
2004244804.tif 000003
【図２】
2004244804.tif 000004
【図３】
2004244804.tif 000005
【図４】
2004244804.tif 000006
【図５】
2004244804.tif 000007
【図６】
2004244804.tif 000008
【図７】
2004244804.tif 000009
【図８】
2004244804.tif 000010
【図９】
2004244804.tif 000011
【図１０】
2004244804.tif 000012
【図１１】
2004244804.tif 000013
【図１２】
2004244804.tif 000014
【図１３】
2004244804.tif 000015
【図１４】
2004244804.tif 000016
【手続補正書】
【提出日】平成15年5月28日(2003.5.28)
【手続補正１】
【補正対象書類名】明細書
【補正対象項目名】特許請求の範囲
【補正方法】変更
【補正の内容】
【特許請求の範囲】
【請求項１】
電波吸収体を複数枚面状に配置し、それを電波吸収体原料の磁性粉末を混入した繊維強化樹脂材で被覆しパネル状に形成したことを特徴とする電波吸収用パネル。
【請求項２】
前記電波吸収体原料の磁性粉末を混入した合成樹脂は、少なくとも電波吸収体相互の隙間に充填されていることを特徴とする請求項１記載の電波吸収用パネル。
【請求項３】
前記電波吸収体を配置する面が曲面で、電波吸収体を曲面に沿って折れ線状に配置し、パネルの形状を円弧状としたことを特徴とする請求項１又は２記載の電波吸収用パネル。
【請求項４】
前記電波吸収体を被覆する繊維強化樹脂材からなる被覆層が、電波吸収体の両側に形成されていることを特徴とする請求項１乃至３の何れか１項に記載の電波吸収用パネル。
【請求項５】
前記電波吸収体を被覆する繊維強化樹脂材からなる被覆層が、電波吸収体の片側に形成されていることを特徴とする請求項１乃至３の何れか１項に記載の電波吸収用パネル。
【請求項６】
前記請求項５記載の電波吸収用パネルにおいて、電波吸収体における小口の端面の全体又は一部が、被覆層と反対側の面に向けてテーパ面に形成されていることを特徴とする電波吸収用パネル
【請求項７】
電波吸収体を複数枚面状に配置し、それを繊維強化樹脂材で被覆しパネル状に形成した電波吸収用パネルの外周縁部に、固定用プレートを埋設したことを特徴とする電波吸収用パネル。
【請求項８】
前記固定用プレートは、表裏に貫通する多数の孔が開口されており、その孔を介して電波吸収体の表裏を覆う被覆層が連結固定されていることを特徴とする請求項７記載の電波吸収用パネル。
【請求項９】
電波吸収体を複数枚面状に配置し、それを繊維強化樹脂材で被覆しパネル状に形成した電波吸収用パネルにおいて、電波到来方向と反対側の電波吸収体の裏側に、固定用プレートを配置すると共に被覆層で固定したことを特徴とする電波吸収用パネル。
【請求項１０】
電波吸収体を複数枚面状に配置し、それを繊維強化樹脂材で被覆しパネル状に形成した電波吸収用パネルを、反射対策部材の外周面に取り付ける取付方法であって、前記電波吸収用パネルの外周部におけるパネル接合端部の繊維シートを外方に延長突出し、そうした電波吸収用パネル同士または該電波吸収用パネルと同様に外周部に繊維シートを延長突出した電波吸収体を内蔵しない補助パネルを、反射対策部材の周囲に周方向に連接して配置し、その相隣れるパネルの延長突出する繊維シートを重ね合わせ、その重ね合せ部に合成樹脂を塗布含浸し、硬化させて巻き付け定着することを特徴とする電波吸収用パネルの取付方法。
【請求項１１】
電波吸収体を複数枚面状に配置し、それを繊維強化樹脂材で被覆しパネル状に形成した電波吸収用パネルを、反射対策部材の外周面に取り付ける取付方法であって、電波吸収用パネル同士又は電波吸収用パネルと電波吸収体を内蔵しない補助パネルを、その端部が直角に交差するよう配置して両パネルの内側を繊維シート及び合成樹脂で連結一体化し、両パネルにおける外側の繊維シートの端部は解放状態とし、その連結したパネルの連続した内側を反射対策部材の角部外側面に当接セットし、セット後、前記解放状態の繊維シートを折り曲げ重ね合わせ、合成樹脂を塗布含浸して硬化させ、定着することを特徴とする電波吸収用パネルの取付方法。
【請求項１２】
前記解放状態の繊維シートを折り曲げ重ね合わせる時、該部にパテを配置し、そのパテの上に前記繊維シートを折り曲げ重ね合わせ、合成樹脂を塗布含浸することを特徴とする請求項１１記載の電波吸収用パネルの取付方法。
【請求項１３】
電波吸収体を内蔵した電波吸収用パネルの幅方向の端縁に、固定用プレートを内蔵した固定補助パネルを、反射対策部材の外側面と対応する面の繊維シートを前記電波吸収パネルの同面の繊維シートと連結一体化し、両パネルにおける外側の繊維シートの端部は解放状態とし、その連結したパネルの連続した内側を反射対策部材の角部外側面に当接セットし、セット後、前記解放状態の繊維シートを折り曲げ重ね合わせ、合成樹脂を塗布含浸して硬化させ、更に固定補助パネルを反射対策部材またはそれに取り付けた下地補強部材に締結具で締着固定することを特徴とする電波吸収用パネルの取付方法。
【請求項１４】
鋼管に被覆取り付ける円弧状電波吸収パネルの製造方法であって、所定の曲率の曲面を備えた成形型の内面に、１〜複数層の繊維シートを敷設し、その繊維シートに合成樹脂を塗布含浸させ、その上に平板の電波吸収体を縦横に所定間隔をあけて敷設すると共に、該電波吸収体相互の隙間には電波吸収体原料の磁性粉末を混入した合成樹脂を埋め込み、更に前記電波吸収体の上に１〜複数層の繊維シートを敷設し、合成樹脂を含浸処理後、養生して成型品を脱型することを特徴とする電波吸収パネルの製造方法。